(57)【特許請求の範囲】
【請求項１】
幅広の表示部と幅狭の係止部とを一連に形成したバンド本体部と、該バンド本体の一端部側に設けられた係止機構部とから構成され、
前記係止機構部は、嵌合係止型の雄型係止部材と雌型係止部材とからなり、
前記雄型係止部材は、長円錐状の凸部を有し、該凸部の先端部にアゴ部を有する肥大部を形成し、
前記雌型係止部材は、前記凸部が挿通される挿通孔を有する軸部と、係止用の主要部とを有し、前記挿通孔に達する切込みが側面から形成されると共に、内部に切り込みを挟んで円弧状の張出し部が形成され、前記主要部には切り込みを挟んで一対の穴が形成され、
前記雌型係止部材は、特殊な解除具により雄型係止部材との係止を解除できる構成にしたこと
を特徴とする識別リストバンド。
【請求項２】
前記バンド本体における幅広の表示部には、少なくとも氏名と生年月日時間等の情報記載欄が設けられ、幅狭の係止部には所要間隔をもって複数の係止孔が形成されている
ことを特徴とする請求項１に記載の識別リストバンド。
【発明の詳細な説明】
【技術分野】
【０００１】
本発明は、主として産婦人科病院等で使用される医療用または新生児用の識別リストバンドに関するものである。
【背景技術】
【０００２】
この種の医療用の識別リストバンドとしては、複数の技術が公知になっている。
例えば、第１の従来技術として、患者の氏名と、血液検査情報と、血液検査のタイプを示す識別情報とを表示した患者識別用リストバンドである（特許文献１参照）。
【０００３】
この第１の公知例に係る患者識別用リストバンドにおいては、患者が携帯しているリストバンドに血液検査情報がどのような検査の結果であるかを容易に判別でき、また患者と血液製剤などとの照合の際にリストバンドの表示されたバーコートを容易に読み取ることができるので、医療過誤を防止するための確認作業をより一層迅速確実に行うことができるというものである。
【０００４】
また、第２の公知例に係るリストバンドとしては、患者を識別するために、患者の腕に巻きつけて使用される可撓性を有するリストバンドであって、前記リストバンドは、患者表示部と患者の腕に巻きつけるための巻きつけ部を有し、前記巻きつけ部の患者に接触する面に少なくとも２つのシール面を有することを特徴とするリストバンドである（特許文献２参照）。
【０００５】
この第２の公知例に係るリストバンドにおいては、手首への挿着が簡便である。また、手首に馴染むように装着することができ、しかも、患者と接触する面に突起部がないので、擦過傷の恐れがないというものである。
【０００６】
さらに、第３の公知例に係る識別用リストバンドとしては、帯状体の所定部に形成された粘着剤層と、この粘着剤層との粘着により、被装着体に対して前記帯状体をリング状の形態で装着する識別用リストバンドであって、前記帯状体の一部に折り込み部と、折り込み部を仮止めする仮止め層を有する識別用リストバンドであって、前記仮止め層を剥離することによって折り込み部による余裕がうまれる識別用リストバンドである（特許文献３参照）。
【０００７】
この第３の公知例に係る識別用リストバンドにおいては、粘着剤層と被粘着部により識別用リストバンドを形成し、被装着者が窮屈さを感じたときに、仮止め部を剥離することにより仮止めされていた折り込み部が広がり、余裕がうまれるため、構造が簡単でありながら、被装着者が適度な装着感をえることができる。さらに、上記識別用リストバンドは仮止め部と折り込み部を形成するという簡単な構造であるため、安価に製造できるというものである。
【先行技術文献】
【特許文献】
【０００８】
【特許文献１】特開２００２−１２５９５６号公報
【特許文献２】特開２００２−１６１４１７号公報
【特許文献３】特開２００７−２４８９４７号公報
【発明の開示】
【発明が解決しようとする課題】
【０００９】
ところで、産婦人科の施設出産では、新生児を取り違える可能性があるとされている。その取り違えの主な原因はヒューマンエラー（人為的ミス）であるため、それを防止するための二重、三重の手順を確立しておく必要があるとしている。そのために生まれたばかりの新生児には、他の新生児と識別できるように、例えば、母子標識（ＩＤバンド）の装着を行っている。その母子標識は、母親と新生児を同時に識別する標識（識別用リストバンド）で、母親用の第１標識と新生児用の第２標識が分離可能に繋がって一緒になっているもので、両者に共通の番号が付してあり、第１標識には母親の氏名と入院日時が記載されて入院時に、第１と第２標識が一緒になっているリストバンドを母親の手首に装着される。そして、新生児が出生したときに第１標識から直ちに第２標識を切り離し、母親の氏名、出生年月日と時刻及び性別等を記入して新生児の手首に装着するのである。
【００１０】
また、新生児用のリストバンドが簡単に取り外しできる構造であると、有ってはならないことではあるが意図的に付け替えたりして、大変なことになりかねないので、新生児用リストバンドは一旦取り付けると、緩めたり縮めたりすることができない構成になっており、ハサミ等で切り離さない限り取り外すことができないので退院するまでそのまま装着される。このような母子標識は施設出産における新生児の取り違え防止や災害時の親子識別に用いられる。
【００１１】
しかしながら、生まれたばかりの新生児の身体は、母親のお腹の中で羊水に保護されている関係で、全体がぶよぶよに膨れ上がっている。その膨れ上がった手首の部分に識別用リストバンドを取り付けて、沐浴や体重測定等の慣例的なさまざまな処置をすると共に、外部と遮断したクリーンな新生児室に複数人の新生児のベッドを並べて授乳やオムツ換え等をしているが、数日経つと、徐々にぶよぶよの身体が縮まってくるのであり、それによって取り付けた識別用リストバンドが緩くなって手首から抜け落ちてしまうことがあり、看護師が注意深く取り扱わないと、複数の新生児の間でリストバンドが入れ違いになったり、紛失したりして、判らなくなったりするという重大な問題が生ずるのである。
【００１２】
前記第１の公知例に係るリストバンドには、患者名や血液検査情報などが表示されていて個別に識別できるものであるが、そのリストバンドを手首に取り付ける具体的な構成については一切記載されていない。つまり、識別リストバンドは医者や看護師が医療行為を行う上で患者毎に必要な情報を表示しているのであって、仮に、簡単に取り外しできる構成であって、その識別リストバンドをなくしたとしても、医師、看護士、家族が患者さんを見れば、誰であるか簡単に見分けることができるが、生まれたばかりの新生児は見分けることができないので、簡単に緩めたり取り外したりできる識別リストバンドでは、新生児用として使用できないのである。
【００１３】
前記第２の公知例に係るリストバンドは、粘着層による２つのシール面を有し、該粘着層によってリストバンドを手首に馴染むように取り付けるというものであり、手首への取り付け取り外しが容易な構成であるため、やはり新生児用として使用できないのである。
【００１４】
さらに、前記第３の公知例に係るリストバンドは、仮止め部を剥離することにより仮止めされていた折り込み部が広がって装着状態が緩められ、余裕がうまれるというものであり、手首から簡単に取り外せる構成であるため、新生児用として使用できないのである。
【００１５】
従って、公知または従来例に係る識別リストバンドは、いずれも簡単に取り外しまたは取り付け状態を緩めることができる構成であるため、生まれたばかりの新生児用としては問題があって使用できないのであり、また、一般的には一旦取り付けた後においては、取り外しができない構成であるため、新生児における独特な身体の変化（締り）に対応できないものであり、出生後数日で緩んだ識別リストバンドが手首から抜け落ちたり紛失したりして、取り違える事故が生じたりした問題点を解消することに解決課題がある。
【課題を解決するための手段】
【００１６】
本発明は、前記課題を解決する具体的手段として、幅広の表示部と幅狭の係止部とを一連に形成したバンド本体部と、該バンド本体の一端部側に設けられた係止機構部とから構成され、前記係止機構部は、嵌合型の雄型係止部材と雌型係止部材とからなり、前記雄型係止部材は、長円錐状の凸部を有し、該凸部の先端部にアゴ部を有する肥大部を形成し、前記雌型係止部材は、前記凸部が挿通される挿通孔を有する軸部と、係止用の主要部とを有し、前記挿通孔に達する切込みが側面から形成されると共に、内部に切り込みを挟んで円弧状の張出し部が形成され、前記主要部には切り込みを挟んで一対の穴が形成され、前記雌型係止部材は、特殊な解除具により雄型係止部材との係止を解除できる構成にしたことを特徴とする識別リストバンドを提供するものである。
【００１７】
本発明に係る識別リストバンドにおいて、前記バンド本体における幅広の表示部には、情報記載欄が設けられ、幅狭の係止部には所要間隔をもって複数の係止孔が形成されていることを付加的な要件として含むものである。
【発明の効果】
【００１８】
本発明に係る識別リストバンドによれば、バンド本体の一端部側に設けられた係止機構部は、嵌合型の雄型係止部材と雌型係止部材とからなり、前記雌型係止部材は、特殊な解除具により雄型係止部材との係止を解除できる構成にしたことにより、出生時に母親との識別のために取り付けられるものであって、一般的には一旦取り付けられると退院まで取り外しができないものであり、新生児における独特な身体の変化（締り）に対応できないものであったために、出生後数日で緩んだ識別リストバンドが手首から抜け落ちたり紛失したりして、取り違える事故が生じたりしたが、本発明では、独特な構成の識別リストバンドと特殊な解除具とを使用することによって、新生児独特な身体の変化に追従して取り付け状態を調整することが出来るようにしたので、新生児の取り違え等の種々の事故を完全に解消できるという優れた効果を奏する。
【図面の簡単な説明】
【００１９】
【図１】本発明に係る好ましい実施の形態に係る新生児用の識別リストバンドの平面図である。
【図２】同実施の形態に係る新生児用の識別リストバンドの側面図である。
【図３】同実施の形態に係る新生児用の識別リストバンドの一方の端部（左端部）に設けた係止機構部を拡大して示した左側面図である。
【図４】同実施の形態に係る新生児用の識別リストバンドの係止機構部を構成する雌側係止部材を示す（ａ）図は平面図と（ｂ）図は側面図である。
【図５】同実施の形態に係る新生児用の識別リストバンドの取り外しを行うための特殊な解除具を示す平面図である。
【図６】同新生児用の識別リストバンドを新生児の腕に取り付けた状態を示す斜視図である。
【図７】同新生児用の識別リストバンドを取り付けた状態における係止機構部の拡大断面図である。
【図８】同新生児用の識別リストバンドの取り付け状態において、特殊な解除具を用いて係止機構部の係止を解除させて取り外す状況を略示的に示した斜視図である。
【図９】同新生児用の識別リストバンドにおける係止機構部の係止を解除させて取り外す状況を拡大して略示的に示した斜視図である。
【図１０】同新生児用の識別リストバンドにおける係止機構部の係止を解除させて取り外す状況を示した拡大断面図である。
【発明を実施するための形態】
【００２０】
本発明を図示の実施の形態に基づいて説明する。図１〜４において、好ましい形態の新生児用の識別リストバンド１は、バンド本体部２と一端部側に設けた係止機構部３とから構成されている。前記バンド本体部２は肌触りの良い柔軟な樹脂材料で形成され、幅広の表示部４と幅狭の係止部５とを一連に形成し、表示部４には、氏名の記載欄６と生年月日時間の記載欄７等の情報記載欄が設けられている。なお、この情報記載欄については、例えば、バーコードやＩＣチップに代えることができる。また、係止部５には、一定間隔、例えば４〜８ｍｍ間隔で長さ方向に複数の係止孔８が形成されている。
【００２１】
係止機構部３は、バンド本体部２から横方向にはみ出して一連に形成した保持部９と、例えば、ポリアセタール樹脂で形成したホック式の雄・雌嵌合型の係止部材１０、１１とから構成されている。雄型係止部材１０は、バンド本体部２側に取り付けられ、雌型係止部材１１は、保持部９側に取り付けられ、図３の仮想線で示したように、保持部９側を捲り上げるようにして雌型係止部材１１を雄型係止部材１０の上部に位置させ、押圧嵌合させて係止するのである。
【００２２】
雄型係止部材１０は、凸部１２の先端部側を長円錐状に形成すると共にその先端部に肥大部１３を形成し、その肥大部１３のアゴ部１３ａはほぼ水平状態に形成すると共に、凸部１２の後端部側には抜け出し防止用の円板１４が形成されている。また、雌型係止部材１１は、図４（ａ）（ｂ）に示したように、軸部１５の一方の端部に略小判型を呈する係止用の主要部１６が軸部１５の軸芯から偏心または一部が張り出した状態で形成され、他方の端部には抜け出し防止用の円板１７が形成されている。
【００２３】
雌型係止部材１１の軸部１５には、円板１７側から雄型係止部材１０の凸部１２が挿通される挿通孔１８が形成されると共に、該挿通孔１８に至る切り込み１９が一方の側面、つまり、主要部１６の張り出した側面側から形成される。この場合に、切り込み１９は係止用の主要部１６の上面では線状に切り離しであるが目立たないようになっている。そして、主要部１６の上面には切り込み１９を挟んでまたは境にして両側の対称位置で張り出した側面側に、後述する解除具のピンが嵌る所要深さの一対の穴２０が形成されると共に、前記挿通孔１８においても、その内側に円弧状の張出し部２１が切り込み１９を挟んで対称位置に形成されており、該張出し部２１に前記雄型係止部材１０の肥大部１３のアゴ部１３ａが引っ掛かるようになっている。
【００２４】
次に、図５に示した特殊な解除具について説明する。解除具３１は、一例として例えば、ペンチ式の把持部３２、３３を有するものであって、該把持部３２、３３の間にばね３４が介在してあって、常に把持部３２、３３を開く方向に付勢しており、各把持部３２、３３の先端部３２ａ、３３ａは、軸３５によりペンチとは逆に常に閉じる方向に付勢されている。これは、各把持部３２、３３と各先端部３２ａ、３３ａとが軸３５を介して交差しないように同じ側に位置するように構成したからである。把持部を操作して先端部を開閉できる治具であって、
【００２５】
さらに、解除具３１における軸３５の内側、つまり、軸３５より把持部３２、３３側に、所要長さに渡って相互の当接部３２ｂ、３３ｂを設け、該当接部３２ｂ、３３ｂによって把持部３２、３３を強く握っても先端部３２ａ、３３ａ側が過度に開かないようにし、雌型保持部材１１の塑性変形を起こすことなく、再利用が可能な範囲で開くように構成してある。そして、各先端部３２ａ、３３ａの端面には、それぞれ所要長さのピン３６、３７が、前記雌型係止部材１１の主要部１６に設けた一対の穴２０と略同じ間隔で、かつ平行状態に突出させて取り付けてある。このような構成であるから、把持部３２、３３を掴んで握る方向に作用させることにより各先端部３２ａ、３３ａ側が外側に開くのである。要するに、把持部３２、３３を操作して先端部３２ａ、３３ａを開閉できる治具であれば良い。
【００２６】
このように構成されている新生児用の識別リストバンド１と解除具３１との使用態様または状況について図６〜図１０を用いて説明する。
まず、図６に示したように、新生児の腕４０の手首近傍に、新生児用の識別リストバンド１の幅狭の係止部５を一回りさせて巻き付け、程よい締め付け力を確認して、係止部５の係止孔８を雄型係止部材１０の凸部１２に嵌め込んでから、保持部９側を捲り上げるようにして雌型係止部材１１の挿通孔１８を雄型係止部材１０の凸部１２に嵌合させることによって取り付けられる。
【００２７】
この取り付け状態においては、図７に示したように、凸部１２の先端部に設けた肥大部１３のアゴ部１３ａが挿通孔１８の内側に設けた円弧状の張出し部２１に係合し、雄型係止部材１０と雌型係止部材１１とが合体して引き離すことができない状態になるのであり、当然のこととして、雄型係止部材１０の凸部１２に係止孔８を嵌合した識別リストバンド１の係止部５は抜き取れないのである。
【００２８】
生まれて数日経って新生児の身体が引き締まってきて、腕４０の膨らみが縮んで識別リストバンド１が緩くなってきたときに、図８に示したように、特殊な解除具３１を使用して識別リストバンド１を一時的に取り外して適正な状態に締め直すことができるのである。
【００２９】
即ち、解除具３１のピン３６、３７を雌型係止部材１１の主要部１６に設けた穴２０に挿入し、把持部３２、３３を握り締めることにより、図９に示したように、雌型係止部材１１の主要部１６が切り込み１９の存在によって両側に開き、図１０に示したように、凸部１２における肥大部１３のアゴ部１３ａが挿通孔１８の内側に設けた張出し部２１から離脱し、凸部１２から主要部１６を抜き取ることができる状態になる。
【００３０】
この状態で、解除具３１を持ち上げることにより、雌型係止部材１１と雄型係止部材１０との嵌合状態を解除し、その後に解除具３１の握り締めを緩めることで、ピン３６、３７が穴２０から抜けると共に、主要部１６が自身の弾性により元の状態、即ち、切り込み１９が閉まった状態に戻るのである。
【００３１】
そして、例えば、解除具３１をポケットに入れれば、フリーになった両手が使用でき、識別リストバンド１の係止部５側の端部を摘んで引き上げることにより、凸部１２に係合している係止孔８から引き抜いて識別リストバンド１を取り外した状態にし、引き続き、引き締まった新生児の腕４０の手首近傍に、その識別リストバンド１をそのまま適宜の締め付け力（緩みを解消させた状態）で巻き付け、丁度良い位置にある係止孔８を選択して凸部１２に嵌め込んでから、保持部９側を捲り上げるようにして雌型係止部材１１の挿通孔１８を雄型係止部材１０の凸部１２に嵌合させることによって再度取り付けるのである。
【００３２】
このように、特殊な解除具３１を使用することによって、識別リストバンド１を取り外して適宜に縮めたり伸ばしたりすることができるのであり、特に、出生時に取り付けた新生児用の識別リストバンド１は、新生児独特な身体の変化に追従して取り付け状態を調整することが出来るのであり、それによって、識別リストバンド１の脱落や紛失が防止できると共に、新生児の取り違えを完全に防止できるのである。なお、解除具３１は誰でもが使用できるというものではなく、責任者が鍵の掛かる状態でキチンと管理して使用状況については、記録に残すようにすることが肝心である。
【産業上の利用可能性】
【００３３】
本発明に係る新生児用の識別リストバンドは、出生時に母親との識別のために取り付けられるものであって、一旦取り付けられると退院まで取り外しができない構成になっているため、新生児における独特な身体の変化（締り）に対応できないものである。そのために、出生後数日で緩んだ識別リストバンド１が手首から抜け落ちたり紛失したりして、取り違える事故があったりしたが、本発明では、独特な構成の識別リストバンドと特殊な解除具３１とを使用することによって、新生児取り扱い上の種々の事故または不都合を解消できるのであり、その分野で広く利用できるのである。なお、前記の実施例では、新生児を対象にした説明であるが、これに限定されることなく、患者や迷子などの多岐に渡る識別用のリストバンドとしても使用可能である。
【符号の説明】
【００３４】
１  識別リストバンド
２  バンド本体
３  係止機構部
４  表示部
５  係止部
６、７  記載欄
８  係止孔
９  保持部
１０  雄型係止部材
１１  雌型係止部材
１２  凸部
１３  肥大部
１３ａ  アゴ部
１４、１７  円板
１５  軸部
１６  係止用の主要部
１８  挿通孔
１９  切り込み  
２０  穴
２１  張出し部
３１  解除具
３２、３３  把持部
３２ａ、３３ａ  先端部
３４  ばね
３５  軸
３６、３７  ピン
４０  腕
【図１】
0005908758.tif 000002
【図２】
0005908758.tif 000003
【図３】
0005908758.tif 000004
【図４】
0005908758.tif 000005
【図５】
0005908758.tif 000006
【図６】
0005908758.tif 000007
【図７】
0005908758.tif 000008
【図８】
0005908758.tif 000009
【図９】
0005908758.tif 000010
【図１０】
0005908758.tif 000011